(57)【特許請求の範囲】
【請求項１】
クライアント端末と、そのクライアント端末と通信回線によって接続されているホスト端末を有する生体情報監視装置であって、
クライアント端末は、
・所定周期でヒトの生体情報を検出する装置と、
・その検出装置が検出した生体情報が正常範囲にあるか否かを判定する装置と、
・その検出装置が検出した生体情報を表示するとともに前記判定装置による判定結果を所定範囲に表示する画像を記述する画像データを作成する装置と、
・その画像データ作成装置が作成した画像データを通信回線を介してホスト端末に送信する送信装置を有しており、
ホスト端末は、
・クライアント端末が送信した画像データを受信する受信装置と、
・その受信装置が受信した画像データのうち、前記所定範囲内に位置する画素の光学的特性を記述するデータに基づいて、クライアント端末による判定結果を再生する装置を有している
ことを特徴とする生体情報監視装置。
【請求項２】
ホスト端末が、再生した判定結果が異常であるときに警告する装置を有することを特徴とする請求項１の生体情報監視装置。
【請求項３】
複数のクライアント端末を有し、
各クライアント端末は、画像データとともにクライアント端末を識別する識別情報を送信し、
ホスト端末は、クライアント端末が送信した画像データと識別情報を受信し、再生した判定結果が異常であるときにその画像データと同時に受信した識別情報を示して警告することを特徴とする請求項２の生体情報監視装置。
【請求項４】
ホスト端末が、判定結果が異常であったクライアント端末が送信した画像データが記述する画像を表示する装置を有することを特徴とする請求項３の生体情報監視装置。
【請求項５】
ホスト端末の再生装置は、前記所定範囲内に位置する画素の色を記述するデータに基づいて、クライアント端末による判定結果を再生すること特徴とする請求項１〜４のいずれかの生体情報監視装置。
【請求項６】
クライアント端末と通信回線によって接続されているホスト端末であって、
クライアント端末は、
・所定周期でヒトの生体情報を検出する装置と、
・その検出装置が検出した生体情報が正常範囲にあるか否かを判定する装置と、
・その検出装置が検出した生体情報を表示するとともに前記判定装置による判定結果を所定範囲に表示する画像を記述する画像データを作成する装置と、
・その画像データ作成装置が作成した画像データを通信回線を介してホスト端末に送信する送信装置を有しており、
ホスト端末は、
・クライアント端末が送信した画像データを受信する受信装置と、
・その受信装置が受信した画像データのうち、前記所定範囲内に位置する画素の光学的特性を記述するデータに基づいて、クライアント端末による判定結果を再生する装置を有していることを特徴とするホスト端末。
【請求項７】
ヒトの生体情報を通信回線を介して遠隔地で監視する方法であり、
・所定周期でヒトの生体情報を検出する段階と、
・検出した生体情報が正常範囲にあるか否かを判定する段階と、
・検出した生体情報を表示するとともに判定した結果を所定範囲に表示する画像を記述する画像データを作成する段階と、
・作成した画像データを通信回線に送信する段階と、
・通信回線から画像データを受信する段階と、
・受信した画像データのうち、前記所定範囲内に位置する画素の光学的特性を記述するデータに基づいて、前記判定結果を再生する段階、
を有していることを特徴とする遠隔監視方法。
【発明の詳細な説明】
【技術分野】
【０００１】
本発明は、生体情報監視装置と、そのためのホスト端末と、生体情報の遠隔監視方法に関する。ここでいう「生体情報」は、生きているヒトの生命現象に係わる指標をいい、例えば、脈拍、血圧、心電図、体温、呼吸等をいう。
【背景技術】
【０００２】
特許文献１に示すような生体情報監視装置が知られている。この生体情報監視装置は、クライアント端末と、そのクライアント端末と通信回線によって接続されているホスト端末を有している。クライアント端末は、所定周期でヒトの生体情報を検出する装置と、その検出装置が検出した生体情報を通信回線を介してホスト端末に送信する送信装置を有している。ホスト端末は、クライアント端末が送信した生体情報を受信する受信装置と、受信装置で受信した生体情報を解析して生体情報が正常範囲にあるか否かを判定する装置を備えている。
この生体情報監視装置によれば、クライアント端末で検出したヒトの生体情報をホスト端末が受信する。クライアント端末から離れた場所にホスト端末を設置することによってヒトから離れた場所でそのヒトの生体情報を監視することができる。ヒトの容態が悪化すると、ホスト端末で受信するヒトの生体情報が異常となるので、生体情報の監視者は医師に連絡する等、迅速に対応することができる。
【０００３】
生体情報を解析する処理は、クライアント端末が内蔵している生体情報検出装置の特性（生体情報を検出する感度等）にマッチングしている必要がある。しかしながら上述の生体情報監視装置では、ホスト端末でヒトの生体情報を解析し、その正常・異常を判定する。このように、ホスト端末で統一的に解析処理すると、生体情報検出装置の特性にマッチングしない解析処理を実施する可能性がある。
【０００４】
これを防止するためには、検出した生体情報の正常異常を判定する装置をクライアント端末に内蔵することが好ましい。クライアント端末には判定装置を内蔵すると、生体情報検出装置の特性にマッチングしない判定処理を実施することがない。
【０００５】
判定装置を内蔵するクライアント端末を利用してヒトの生体情報を遠隔地で監視するシステムを構成することができる。この方式でも、クライアント端末と、そのクライアント端末と通信回線によって接続されているホスト端末を利用する。クライアント端末は、所定周期でヒトの生体情報を検出する装置と、その検出装置が検出した生体情報が正常範囲にあるか否かを判定する装置と、検出装置が検出した生体情報を表示するとともに判定装置による判定結果を所定範囲に表示する画像を記述する画像データを作成する装置と、画像データ作成装置が作成した画像データを通信回線を介してホスト端末に送信する送信装置を有している。ホスト端末は、クライアント端末が送信した画像データを受信する受信装置と、受信した画像データが記述している画像を表示する装置を有している。
【０００６】
この方式の生体情報監視装置では、クライアント端末で生体情報が正常範囲にあるか否かを判定し、その判定結果を表示する画像を記述する画像データを作成してホスト端末に送信する。ホスト端末では、受信した画像データに従って画像を表示するだけであり、生体情報を誤って解析することがない。この方式によると、生体情報の判定処理の信頼性が確保され、正しい判定結果を遠隔地で監視することができる。
【０００７】
【特許文献１】特開平１０−１５５７４８号公報
【発明の開示】
【発明が解決しようとする課題】
【０００８】
上述した生体情報監視装置によると、クライアント端末による判定結果が画像データの一部に含まれた状態でクライアント端末からホスト端末に送信される。ホスト端末では、受信した画像データに対応する画像を表示するだけであり、監視者がその画像を目視していなければ生体情報が正常範囲にあるのか異常範囲にあるかを確認することができない。すなわち、画像の目視を怠ると、判定結果が異常となったことに気づくことができないために、監視者はホスト端末に表示される画像を目視し続けなければならないという問題があった。
【０００９】
本発明は上記した実情に鑑みて創作されたものであり、生体情報の正常異常の判定処理はクライアント端末で実施し、クライアント端末とホスト端末の間では生体情報に代えて画像データを送受信することによって判定の信頼性を確保し、しかもホスト端末の側では監視者が画像を目視し続けなくても生体情報が異常範囲になったことに気づくことができる生体情報監視装置を提供することを目的とする。
【課題を解決するための手段】
【００１０】
本発明の生体情報監視装置は、通信回線によって接続されているクライアント端末とホスト端末を備えている。クライアント端末は、所定周期でヒトの生体情報を検出する装置と、検出装置が検出した生体情報が正常範囲にあるか否かを判定する装置と、検出装置が検出した生体情報を表示するとともに判定装置による判定結果を所定範囲に表示する画像を記述する画像データを作成する装置と、画像データ作成装置が作成した画像データを通信回線を介してホスト端末に送信する送信装置を有している。ホスト端末は、クライアント端末が送信した画像データを受信する受信装置と、受信装置が受信した画像データのうち、前記した所定範囲（判定結果を表示する範囲）内に位置する画素の光学的特性を記述するデータに基づいて、クライアント端末による判定結果を再生する装置を有している。
【００１１】
この生体情報監視装置では、クライアント端末の画像データ作成装置が、クライアント端末の判定装置による判定結果を所定範囲に表示する画像を記述する画像データを作成する。所定範囲内に位置する画素の光学的特性を記述するデータには、判定結果が反映されている。その画像データは、ホスト端末で受信される。
ホスト端末には再生装置が用意されており、再生装置は、受信した画像データのうち、クライアント端末による判定結果を表示する範囲内に位置する画素の光学的特性を記述するデータに基づいて、クライアント端末による判定結果を再生する。前記した画素の光学的特性を記述するデータには判定結果が反映されていることから、その画像データを解析することによって、クライアント端末による判定結果を再生することができる。ホスト端末では、画像データに加えてクライアント端末による判定結果を示すデータを得ることができるので、異常判定時の処理を実行することができる。したがって、監視者は、画像を目視し続けなくても生体情報が異常範囲になったことに気づくことができる。
【００１２】
上述の生体情報監視装置は、再生した判定結果が異常であるときに警告する装置をホスト端末が備えていることが好ましい。
この構成によれば、監視者が、ヒトの生体情報が異常となったことを見過ごすことがない。
【００１３】
複数のクライアント端末を通信回線によってホスト端末に接続することもできる。この場合、各クライアント端末は、画像データとともにクライアント端末を識別する識別情報を送信する。ホスト端末では、クライアント端末が送信した画像データと識別情報を受信し、再生した判定結果が異常であるときにはその画像データと同時に受信した識別情報を示して警告することが好ましい。
この生体情報監視装置によると、複数のヒトの生体情報を監視しながら、生体情報が異常となったヒトを特定することができる。
【００１４】
上述の生体情報監視装置では、判定結果が異常であったクライアント端末が送信した画像データが記述する画像を表示する装置をホスト端末が備えていることが好ましい。
この構成によれば、ホスト端末の表示装置に異常な生体情報を示す画像が表示される。したがって、容態が悪化したヒトの生体情報を具体的に確認することができる。
【００１５】
上述の生体情報監視装置では、前記した所定範囲（判定結果を表示する範囲）内に位置する画素の色を記述するデータに基づいて、クライアント端末による判定結果を再生することが好ましい。
この構成によっても、クライアント端末による判定結果を再生することができる。
【００１６】
本発明はまた、ヒトの生体情報を監視するホスト端末を提供する。
このホスト端末は、クライアント端末と通信回線によって接続されている。クライアント端末は、所定周期でヒトの生体情報を検出する装置と、その検出装置が検出した生体情報が正常範囲にあるか否かを判定する装置と、その検出装置が検出した生体情報を表示するとともにその判定装置による判定結果を所定範囲に表示する画像を記述する画像データを作成する装置と、その画像データ作成装置が作成した画像データを通信回線を介してホスト端末に送信する送信装置を有している。
ホスト端末は、クライアント端末が送信した画像データを受信する受信装置と、その受信装置が受信した画像データのうち、前記所定範囲内に位置する画素の光学的特性を記述するデータに基づいて、クライアント端末による判定結果を再生する装置を有している。
このホスト端末によれば、ヒトの生体情報が正常範囲にあるか否かを遠隔地で監視することができる。
【００１７】
本発明はまた、ヒトの生体情報を通信回線を介して遠隔地で監視する方法を提供する。
この生体情報監視方法は、所定周期でヒトの生体情報を検出する段階と、検出した生体情報が正常範囲にあるか否かを判定する段階と、検出した生体情報を表示するともに判定した結果を示す所定範囲に表示する画像を記述する画像データを作成する段階と、作成した画像データを通信回線に送信する段階と、通信回線から画像データを受信する段階と、受信した画像データのうち、前記した所定範囲内に位置する画素の光学的特性を記述するデータに基づいて、前記した判定結果を再生する段階を有している。
この生体情報監視方法によれば、ヒトの生体情報が正常範囲にあるか否かを遠隔地で監視することができる。
【発明を実施するための最良の形態】
【００１８】
下記に詳細に説明する実施例の主要な特徴を最初に列記する。
（形態１）生体情報監視装置は、複数のクライアント端末と、それらのクライアント端末と通信回線によって接続されているホスト端末を有している。
（形態２）各クライアント端末は、所定周期でヒトの生体情報を検出する装置と、その検出装置が検出した生体情報が正常範囲にあるか否かを判定する装置と、その検出装置が検出した生体情報を表示するとともにその判定装置による判定結果を所定範囲に表示する画像を記述する画像データを作成する装置と、その画像データ作成装置が作成した画像データとともにクライアント端末を識別するＩＰアドレスを通信回線を介してホスト端末に送信する送信装置を有している。
（形態３）  各クライアント端末は、検出した脈拍数を所定範囲に表示する画像を記述する画像データ作成装置を備えている。
（形態４）  各クライアント端末は、検出した脈拍数を所定範囲に表示するとともに、正常な脈拍数と異常な脈拍数を異なる色で表示する画像を記述する画像データ作成装置を備えている。
（形態５）  ホスト端末は、クライアント端末が送信した画像データとＩＰアドレスを受信する装置と、受信した画像データのうち、前記所定範囲内に位置する画素の色指定値に基づいてクライアント端末による判定結果を再生する装置と、再生した判定結果が異常であるときにその画像データと同時に受信したＩＰアドレスを示す警告を発する装置と、その警告が示すＩＰアドレスのクライアント端末が送信した画像データが記述する画像を表示する装置を有している。
【実施例】
【００１９】
本発明の実施例に係る生体情報監視装置１０について、図面を参照しながら説明する。図１に示すように、生体情報監視装置１０は、ホスト端末２０と、インターネット網１００によってホスト端末２０と接続されている複数のクライアント端末６０によって構成されている。各クライアント端末６０は、在宅医療等を受ける患者の家等の各々に設置されている。ホスト端末２０は、各クライアント端末６０から離れた場所に設置されている。クライアント端末６０は、患者の生体情報を検出し、検出した結果を表示する画像データを作成し、作成した画像データをインターネット網１００を介してホスト端末２０に送信する。ホスト端末２０は、各クライアント端末６０が検出する患者の生体情報を監視し、生体情報が異常となったときに、ブザー等によって生体情報が異常となったことを監視者に報知する。
【００２０】
（クライアント端末６０の構成）
全部のクライアント端末６０が同様の構成をしているので、以下では１つのクライアント端末６０についてのみ説明する。図２は、クライアント端末６０の構成を示すブロック図である。図２に示すように、クライアント端末６０は、１次生体情報検出装置６２と、ベッドサイドモニタ８０によって構成されている。
【００２１】
１次生体情報検出装置６２は、ベッドサイドモニタ８０と無線通信回線７６によって接続されている。１次生体情報検出装置６２は、患者の体に取り付けられて使用される。１次生体情報検出装置６２は、患者の体から心電信号（ヒトの心臓の活動に伴って発生する電気信号（より詳細には、その電気信号の大きさ））を検出する心電信号センサ６４，６６と、Ａ／Ｄ変換装置７２と、無線信号送信装置７４とによって構成されている。以下では、心電信号Ａ、心電信号Ｂをまとめて１次生体情報という。１次生体情報検出装置６２は、１次生体情報を検出し、検出した１次生体情報を無線信号でベッドサイドモニタ８０に送信する。
【００２２】
心電信号センサ６４は、患者の体に固定されており、患者の体から心電信号Ａを検出する。心電信号センサ６４が検出した心電信号Ａは、Ａ／Ｄ変換装置７２に入力される。
心電信号センサ６６は、心電信号センサ６４とは異なる位置で患者の体に固定されており、患者の体から心電信号Ｂを検出する。心電信号センサ６６が検出した心電信号Ｂは、Ａ／Ｄ変換装置７２に入力される。
【００２３】
Ａ／Ｄ変換装置７２は、心電信号センサ６４と、心電信号センサ６６と、無線信号送信装置７４に接続されている。Ａ／Ｄ変換装置７２には、心電信号センサ６４からの心電信号Ａと、心電信号センサ６６からの心電信号Ｂが入力される。Ａ／Ｄ変換装置７２は、入力された心電信号Ａ、心電信号Ｂを所定周期（本実施例では約１００ｍｓｅｃ）でデジタル信号に変換する。デジタル信号に変換された心電信号Ａ、心電信号Ｂ（すなわち、１次生体情報）は、無線信号送信装置７４に入力される。
【００２４】
無線信号送信装置７４は、Ａ／Ｄ変換装置７２と接続されている。また、無線信号送信装置７４は、後述するベッドサイドモニタ８０の無線信号受信装置８２と無線通信回線７６によって接続されている。無線信号送信装置７４は、Ａ／Ｄ変換装置７２から入力される１次生体情報を、無線通信回線７６を介して無線信号受信装置８２に送信する。
【００２５】
ベッドサイドモニタ８０は、無線信号受信装置８２と、演算装置８４と、画像データ送信装置９４と、表示装置９６によって構成されている。ベッドサイドモニタ８０は、患者の近く（より詳細には、患者の体に取り付けられた１次生体情報検出装置６２から３ｍ以内の位置）に設置されて使用される。ベッドサイドモニタ８０は、無線通信回線７６によって１次生体情報検出装置６２と接続されている。また、ベッドサイドモニタ８０はインターネット網１００と接続されている。ベッドサイドモニタ８０は、１次生体情報検出装置６２から送信される１次生体情報を受信し、受信した１次生体情報を解析し、その解析結果に基づいて画像データを作成する。ベッドサイドモニタ８０は、作成した画像データが記述する画像を表示装置９６に表示すると共に、インターネット網１００に画像データを送信する。
【００２６】
無線信号受信装置８２は、１次生体情報検出装置６２の無線信号送信装置７４と無線通信回線７６によって接続されている。また、無線信号受信装置８２は、演算装置８４と接続されている。無線信号受信装置８２は、無線信号送信装置７４から送信される１次生体情報を受信し、受信した１次生体情報を演算装置８４に入力する。
【００２７】
演算装置８４は、ＣＰＵ、ＲＯＭ、ＲＡＭ等によって構成され、解析部８６と、判定部８８と、画像データ作成部９０を備えている。演算装置８４は、無線信号受信装置８２と、画像データ送信装置９４と、表示装置９６と接続されている。演算装置８４は、無線信号受信装置８２から入力される１次生体情報を解析し、その解析結果に基づいて画像データを作成する。演算装置８４は、作成した画像データを画像データ送信装置９４と、表示装置９６に入力する。
【００２８】
画像データ送信装置９４は、演算装置８４と、インターネット網１００と接続されている。画像データ送信装置９４には、演算装置８４から画像データが入力される。また、画像データ送信装置９４は、クライアント端末６０を識別するＩＰアドレスを記憶している。ＩＰアドレスは、クライアント端末６０ごとに与えられた番号であり、クライアント端末６０ごとに異なる。画像データ送信装置９４は、入力された画像データを、記憶しているＩＰアドレスと共に、インターネット網１００を介してホスト端末２０に送信する。画像データと共にＩＰアドレスを送信することによって、画像データを受信したホスト端末２０は、その画像データが何れのクライアント端末６０から送信されたものであるかを特定することができる。
【００２９】
表示装置９６は、演算装置８４と接続されている。表示装置９６には、演算装置８４から画像データが入力される。表示装置９６は入力された画像データが記述する画像を表示する。
【００３０】
（クライアント端末６０の動作）
次にクライアント端末６０の動作を、図４のフローチャートを参照して説明する。図４のステップＳ２では、１次生体情報検出装置６２のＡ／Ｄ変換装置７２が、１次生体情報（心電信号Ａ、心電信号Ｂ）をデジタル信号に変換する。Ａ／Ｄ変換装置７２によって変換された１次生体情報のデジタル信号は、無線信号送信装置７４、無線通信回線７６、ベッドサイドモニタ８０の無線信号受信装置８２を介して、ベッドサイドモニタ８０の演算装置８４に入力される。
【００３１】
演算装置８４は、解析部８６によって、無線信号受信装置８２から入力された１次生体情報を解析し、心電図Ｃ、心電図Ｄ、脈拍（以下では、心電図Ｃ、心電図Ｄ、脈拍をまとめて２次生体情報という場合がある）を算出する（ステップＳ４）。すなわち、演算装置８４は、入力された心電信号Ａから心電信号Ａの経時変化を表す心電図Ｃを作成する。そして、作成した心電図Ｃから、脈拍を算出する。また、演算装置８４は、入力された心電信号Ｂから心電信号Ｂの経時変化を表す心電図Ｄを作成する。
すなわち、１次生体情報検出装置６２と、無線信号受信装置８２と、演算装置８４の解析部８６によって、患者の２次生体情報を検出する２次生体情報検出装置７８が構成されている。後述するように、２次生体情報検出装置７８は、約１００ｍｓｅｃの周期で患者の２次生体情報を検出する。
【００３２】
２次生体情報を算出すると、演算装置８４は、判定部８８によって、ステップＳ４で算出した脈拍が正常範囲にあるか異常範囲にあるかを判定し、その判定結果を出力する（ステップＳ６）。脈拍の正常範囲は、患者によって相違する。判定部８８が実行する判定処理は患者ごとに用意されており、その患者に適した判定を実行する。
脈拍を算出して正常異常を判定する処理はクライアント端末６０で処理される。各クライアント端末６０で、心電信号センサ６４の特性を反映した判定処理が実行できるために、ホスト端末２０で統一的に判定処理するよりも判定の信頼性が高い。また、患者毎にその患者に適した内容で判定処理を実行することができる。
【００３３】
判定結果を出力すると、演算装置８４は、画像データ作成部９０によって、ステップＳ４で算出した２次生体情報を表示するとともに、ステップＳ６の判定結果を所定範囲に表示する画像を記述する画像データを作成する（ステップＳ８）。
詳細に説明すると、演算装置８４、図５に示すように、色指定値０ｘ,ｎｎ,ｎｎ,ｎｎによって画素（ｘ，ｙ）毎の表示色を指定するデータを作成する。色指定値０ｘ,ｎｎ,ｎｎ,ｎｎの０ｘは、０ｘ以降を１６進数ｎ（０〜ｆ）で記述することを指定している。また、左側のｎｎは赤の強度を２５６階調（００〜ｆｆ）で指定しており、中央のｎｎは緑の強度を２５６階調で指定しており、右側のｎｎは青の強度を２５６階調で指定している。このように記述した画像データを表示装置等に入力することで、画像データで記述したとおりの画像が表示される。
【００３４】
演算装置８４は、図６に示すように、ステップＳ４で算出した心電図Ｃと心電図Ｄのグラフと、ステップＳ４で算出した脈拍の数値を表示する画像を記述する画像データを作成する。図６は、判定部８８によって脈拍が正常範囲にあると判定されたときに作成される画像を例示しており、脈拍を示す数値を緑で表示し（すなわち、数値を示す範囲内の画素の色指定値を０ｘ，００，ｆｆ，００とする）、脈拍表示範囲Ｅ内の背景を黒で表示する（すなわち、脈拍表示範囲Ｅ内の数値以外の画素の色指定値を０ｘ，００，００，００とする）。図７は、判定部８８によって脈拍が異常範囲にあると判定されたときに作成される画像を例示しており、脈拍を示す数値を黒で表示し（すなわち、数値を示す範囲内の画素の色指定値を０ｘ，００，００，００とする）、脈拍表示範囲Ｅ内の背景を緑で表示する（すなわち、脈拍表示範囲Ｅ内の数値以外の画素の色指定値を０ｘ，００，ｆｆ，００とする）。このように、演算装置８４は、算出した生体情報を表示するとともに、判定部８８による判定結果を脈拍表示範囲Ｅに表示する画像を記述する画像データを作成する。
演算装置８４は、作成した画像データを、画像データ送信装置９４と、表示装置９６に入力する。
【００３５】
図４のステップＳ１０では、表示装置９６が、演算装置８４から入力された画像データが記述する画像を表示する。これによって、図６、７に示すように、心電図Ｃ、心電図Ｄ、脈拍が表示装置９６に表示される。
【００３６】
図４のステップＳ１２では、画像データ送信装置９４が、演算装置８４から入力された画像データをインターネット網１００を介してホスト端末２０に送信する。画像データ送信装置９４は、画像データと共に、記憶しているＩＰアドレスをホスト端末２０に送信する。
【００３７】
以上のように、図４のステップＳ２〜Ｓ１２を実行することによって、表示装置９６に演算装置８４によって算出された２次生体情報と、演算装置８４による判定結果が表示される。また、画像データ送信装置９４によって、その画像を記述する画像データがホスト端末２０に送信される。上述したように、Ａ／Ｄ変換装置７２は約１００ｍｓｅｃの周期で１次生体情報をデジタル信号に変換するので、ステップＳ２〜Ｓ１２の処理は約１００ｍｓｅｃの周期で繰り返し実行される。これによって、２次生体情報検出装置７８は、約１００ｍｓｅｃの周期で患者の２次生体情報を検出する。また、Ｓ２〜Ｓ１２の処理が約１００ｍｓｅｃの周期で実行されることによって、表示装置９６の表示画面には、約１００ｍｓｅｃの周期で次々と２次生体情報が表示される。すなわち、表示装置９６の表示画面に、患者の２次生体情報がリアルタイムで表示される。また、Ｓ２〜Ｓ１２の処理が約１００ｍｓｅｃの周期で実行されることによって、クライアント端末６０からホスト端末２０へ約１００ｍｓｅｃの周期で画像データとＩＰアドレスが送信される。
【００３８】
（ホスト端末２０の構成）
図１に示すように、ホスト端末２０は、インターネット網１００によって複数のクライアント端末６０と接続されている。図３に示すように、ホスト端末２０は、画像データ受信装置２２と、記憶装置２４と、演算装置２６と、ブザー３８と、表示装置４０と、入力装置４２によって構成されている。
【００３９】
画像データ受信装置２２は、インターネット網１００と演算装置２６に接続されている。画像データ受信装置２２は、インターネット網１００を介して各クライアント端末６０から送信される画像データ及びＩＰアドレスを受信する。すなわち、画像データ受信装置２２は、各々のクライアント端末６０が約１００ｍｓｅｃの周期で送信する画像データとＩＰアドレスを受信する。画像データ受信装置２２は、受信した画像データとＩＰアドレスを演算装置２６に入力する。
【００４０】
演算装置２６は、画像データ受信装置２２と記憶装置２４とブザー３８と表示装置４０と入力装置４２に接続されている。演算装置２６には、画像データ受信装置２２から画像データとＩＰアドレスが入力される。演算装置２６は、入力された画像データ及びＩＰアドレスを記憶装置２４に入力する。また、演算装置２６は、入力された画像データのうちの脈拍表示範囲Ｅ内に位置している画素の色指定値０ｘ,ｎｎ,ｎｎ,ｎｎが異常判定時の色指定値であるときに、その画像データと共に入力されたＩＰアドレスを含む警告信号を出力する。演算装置２６は、警告信号を出力するとブザー３８に電気信号を出力するとともに、その警告信号が含むＩＰアドレスを記憶する。また、演算装置２６は、記憶しているＩＰアドレスと一致するＩＰアドレスを入力されたときには、そのＩＰアドレスと共に入力された画像データをそのＩＰアドレスと共に表示装置４０に入力する。
演算装置２６は、ＩＰアドレス判定部２８と、明度指定値算出部２９と、再生部３０と、警告信号出力部３２と、警告ＩＰアドレス記憶部３４と、ブザー鳴動部３６を有している。
【００４１】
記憶装置２４は、ハードディスク等によって構成されており、多くのデータを記憶することができる。記憶装置２４は、演算装置２６と接続されている。記憶装置２４には、演算装置２６から画像データとＩＰアドレスが入力される。記憶装置２４は、入力された画像データをＩＰアドレスに対応づけて記憶する。
【００４２】
ブザー３８は、演算装置２６と接続されている。ブザー３８には、演算装置２６から電気信号が入力される。ブザー３８は、演算装置２６から電気信号が入力されると鳴動する。
【００４３】
表示装置４０は、大型の表示画面を有しており、画像データが記述する画像の複数個を同時に表示することができる。表示装置４０は、演算装置２６と接続されている。表示装置４０には、演算装置２６からＩＰアドレスと画像データが入力される。表示装置４０は、入力された画像データが記述する画像を、表示画面の所定位置に表示させる。また、表示装置４０は、１つの画像データに対応する画像を表示している間に、表示している画像データのＩＰアドレスと異なるＩＰアドレスが入力されたときには、その異なるＩＰアドレスと共に入力された画像データが記述する画像を、表示画面中の隣接する位置に表示する。
【００４４】
入力装置４２は、キーボード、マウス等によって構成されている。入力装置４２は演算装置２６と接続されている。入力装置４２を操作することによって、演算装置２６にさまざまな信号を入力することができる。
【００４５】
（ホスト端末２０の動作）
上述したように、画像データ受信装置２２が画像データとＩＰアドレスを受信し、演算装置２６に画像データとＩＰアドレスが入力されると、演算装置２６は、入力された画像データとＩＰアドレスを記憶装置２４に入力する。記憶装置２４は、入力された画像データをＩＰアドレスに対応づけて記憶する。
また、演算装置２６は、入力された画像データのうち、脈拍表示範囲Ｅ内に位置している画素の色指定値０ｘ,ｎｎ,ｎｎ,ｎｎが正常判定時の色指定値であるのか異常判定時の色指定値であるのかによって、クライアント端末６０による判定結果を再生し、再生した判定結果に応じて警告信号を出力する。警告信号を出力するときと、警告信号を出力した後の演算装置２６の動作を、図８のフローチャートを参照しながら説明する。図８は、１つの画像データが入力されたときに、ホスト端末２０の演算装置２６が実行する処理を示している。
【００４６】
画像データとＩＰアドレスが入力されると、演算装置２６は、ＩＰアドレス判定部２８によって、入力されたＩＰアドレスが警告ＩＰアドレス記憶部３４で記憶しているＩＰアドレスのいずれかと一致するか否かを判定する（ステップＳ２０）。後に詳述するが、警告ＩＰアドレス記憶部３４には、以前に入力された画像データのうち、再生部３０で再生したクライアント端末６０による判定結果が異常であった画像データのＩＰアドレス（すなわち、異常判定結果を示す画像データと共に入力されたＩＰアドレス）を記憶している。
【００４７】
入力されたＩＰアドレスが警告ＩＰアドレス記憶部３４のＩＰアドレスと一致しないときには、演算装置２６は、明度指定値算出部２９によって、入力された画像データの脈拍表示範囲Ｅ内の画素のうち、図９の範囲Ｆ内の９つの画素（ｘ１，ｙ１）〜（ｘ３，ｙ３）の明度指定値０ｘ，ｎｎを算出する（ステップＳ２２）。すなわち、演算装置２６は、画素（ｘ１，ｙ１）〜（ｘ３，ｙ３）の色指定値０ｘ,ｎｎ,ｎｎ,ｎｎに基づいて、色指定値０ｘ,ｎｎ,ｎｎ,ｎｎが指定している色の明度情報だけを取り出した明度指定値０ｘ,ｎｎ（ｎｎは明度を２５６階調で指定する値）を算出する。
画素（ｘ１，ｙ１）〜（ｘ３，ｙ３）は、脈拍表示範囲Ｅ内に脈拍を表示する際に、必ず背景を表示する画素である（図６、図７参照）。したがって、クライアント端末６０によって脈拍が正常範囲にあると判定されたときに作成される画像データでは、画素（ｘ１，ｙ１）〜（ｘ３，ｙ３）の色指定値が０ｘ,００,００,００（黒）となっている。色指定値０ｘ,００,００,００から算出される明度指定値は０ｘ,００である。したがって、脈拍が正常範囲にあると判定されたときに作成される画像データの画素（ｘ１，ｙ１）〜（ｘ３，ｙ３）の明度指定値は０ｘ,００となる。また、クライアント端末６０によって脈拍が異常範囲にあると判定されたときに作成される画像データでは、画素（ｘ１，ｙ１）〜（ｘ３，ｙ３）の色指定値が０ｘ,００,ｆｆ,００（緑）となっている。色指定値０ｘ,００,ｆｆ,００から算出される明度指定値は０ｘ,７５である。したがって、脈拍が異常範囲にあると判定されたときに作成される画像データの画素（ｘ１，ｙ１）〜（ｘ３，ｙ３）の明度指定値は０ｘ,７５となる。
【００４８】
次に、演算装置２６は、再生部３０によって、画像データの画素（ｘ１，ｙ１）〜（ｘ３，ｙ３）のすべての明度指定値０ｘ,ｎｎ（図９参照）が、０ｘ,２０〜０ｘ,ｆｆの範囲にあるか否かを判定する（図８のステップＳ２４）。
上述したように、脈拍が正常範囲にあると判定されたときに作成される画像データの画素（ｘ１，ｙ１）〜（ｘ３，ｙ３）の明度指定値は０ｘ,００であり、脈拍が異常範囲にあると判定されたときに作成される画像データの画素（ｘ１，ｙ１）〜（ｘ３，ｙ３）の明度指定値は０ｘ,７５である。したがって、演算装置２６が、画像データの画素（ｘ１，ｙ１）〜（ｘ３，ｙ３）のすべての明度指定値０ｘ,ｎｎが、０ｘ,２０〜０ｘ,ｆｆの範囲にあるか（すなわち、明度指定値が０ｘ,７５であるか）、いずれかの明度指定値が０ｘ,００〜０ｘ,１９にあるか（すなわち、明度指定値が０ｘ,００であるか）を判定することによって、クライアント端末６０の演算装置８４による判定結果（すなわち、脈拍が正常範囲にあるか異常範囲にあるか）が再生される。
【００４９】
演算装置２６は、画像データの画素（ｘ１，ｙ１）〜（ｘ３，ｙ３）のいずれかの明度指定値が、０ｘ,００〜０ｘ,１９の範囲にある(すなわち、入力された画像データが表示する脈拍が正常範囲にある)と判定すると（ステップＳ２４でＮＯ）、処理を終了する。
【００５０】
演算装置２６は、画像データの画素（ｘ１，ｙ１）〜（ｘ３，ｙ３）のすべての明度指定値が、０ｘ,２０〜０ｘ,ｆｆの範囲にある(すなわち、入力された画像データが表示する脈拍が異常範囲にある)と判定すると（ステップＳ２４でＹＥＳ）、警告信号出力部３２によって、その画像データのＩＰアドレスを含む警告信号を出力する（ステップＳ２６）。
【００５１】
演算装置２６は、警告信号を出力すると、その警告信号が含むＩＰアドレスを警告ＩＰアドレス記憶部３４に記憶する（ステップＳ２８）。警告ＩＰアドレス記憶部３４で既に他のＩＰアドレスを記憶しているときには、警告ＩＰアドレス記憶部３４で複数のＩＰアドレスを記憶することとなる。なお、警告ＩＰアドレス記憶部３４で記憶しているＩＰアドレスは、入力装置４２によって警告ＩＰアドレス記憶部３４をリセットすることで消去することができる。
【００５２】
また、演算装置２６は、警告信号を出力すると、ブザー鳴動部３６によって、ブザー３８に電気信号を入力する（ステップＳ３０）。これによって、ブザー３８は鳴動を開始する。ブザー３８は、入力装置４２から演算装置２６にブザー停止信号が入力されるまで鳴動し続ける。
【００５３】
また、演算装置２６は、入力されたＩＰアドレスが警告ＩＰアドレス記憶部３４で記憶しているＩＰアドレスのいずれかと一致すると判定すると（ステップＳ２０でＹＥＳ）、入力された画像データとＩＰアドレスを表示装置４０に入力する（ステップＳ３２）。これによって、その画像データが記述する画像が表示装置４０に表示される。すなわち、そのＩＰアドレスのクライアント端末６０が検出している患者の２次生体情報が表示装置４０に表示される。表示装置４０は、既にそのＩＰアドレスに対応する画像を表示しているときは、表示している画像を新たに入力した画像データに対応する画像に更新する。また、表示装置４０が、既に他のＩＰアドレスに対応する画像を表示しているときは、表示している画像のとなりに新たに入力された画像データが記述する画像を表示する。
【００５４】
上述したように、ホスト端末２０には、各クライアント端末６０から約１００ｍｓｅｃの周期で画像データ及びＩＰアドレスが送信される。ホスト端末２０は、画像データ及びＩＰアドレスを受信するたびに図８のステップＳ２０〜Ｓ３２の処理を実行する。
ホスト端末２０は、送信された画像データのＩＰアドレスが警告ＩＰアドレス記憶部３４で記憶しているＩＰアドレスと一致しないときには、ステップＳ２２〜Ｓ２４の処理を実行する。これによって、入力された画像データの画素（ｘ１，ｙ１）〜（ｘ３，ｙ３）の明度指定値が０ｘ,２０〜０ｘ,ｆｆの範囲にあるか否かが判定される。すなわち、入力された画像データが表示する脈拍が正常範囲にあるか異常範囲にあるかが判定される。ホスト端末２０には１つのクライアント端末６０から約１００ｍｓｅｃの周期で画像データが入力され、ホスト端末２０は画像データが入力されるたびにステップＳ２２〜Ｓ２４の処理を実行する。すなわち、ホスト端末２０は、各クライアント端末６０から送信される画像データが表示する脈拍が正常範囲にあるか異常範囲にあるかをリアルタイムで監視している。
また、ホスト端末２０は、画素（ｘ１，ｙ１）〜（ｘ３，ｙ３）の明度指定値が０ｘ,２０〜０ｘ,ｆｆの範囲にある（すなわち、画像データが表示する脈拍が異常範囲にある）と判定すると、直ちにブザー３８を鳴動させる（ステップＳ３０）。また、ホスト端末２０は、画像データの画素（ｘ１，ｙ１）〜（ｘ３，ｙ３）の明度指定値が０ｘ,２０〜０ｘ,ｆｆの範囲にあると判定すると、その画像データのＩＰアドレスを記憶する（ステップＳ２８）。そして、記憶したＩＰアドレスの画像データをそれ以降に受信すると、その画像データが記述している画像を表示装置４０に表示する（ステップＳ３２）。ホスト端末２０は、ＩＰアドレスを記憶し、ブザー３８を鳴動させてから約１００ｍｓｅｃ後に、同じＩＰアドレスの次の画像データを受信するので、ブザー３８の鳴動と略同時に表示装置４０に記憶したＩＰアドレスの画像が表示される。ホスト端末２０は、警告ＩＰアドレス記憶部３４がリセットされるまでの間、記憶したＩＰアドレスの画像データを受信するたびに、受信した画像データを次々と表示装置４０に表示する。したがって、表示装置４０にはそのＩＰアドレスのクライアント端末６０が検出する患者の２次生体情報がリアルタイムで表示される。
すなわち、ホスト端末２０は、異常な脈拍を表示する画像データを受信すると直ちにブザー３８を鳴動させ、さらに異常な脈拍を検出したクライアント端末６０がその後に検出する患者の２次生態情報を表示装置４０にリアルタイムで表示する。したがって、生体情報の監視者は、ブザー３８の鳴動によって患者の脈拍が異常となったことを直ちに知ることができる。また、脈拍が異常となった患者の２次生体情報を、表示装置４０で確認することができる。
【００５５】
以上に説明したように、本実施例の生体情報監視装置１０では、クライアント端末６０の演算装置８４が、２次生体情報検出装置７８が検出した患者の脈拍が正常範囲にあるか異常範囲にあるかを判定する。演算装置８４は、判定結果が正常であるときには脈拍表示範囲Ｅ内に数値を緑で表示し、背景を黒で表示する画像データを作成し、判定結果が異常であるときには脈拍表示範囲Ｅ内に数値を黒で表示し、背景を緑で表示する画像データを作成する。演算装置８４によって作成された画像データは、画像データ送信装置９４がインターネット網１００に送信し、ホスト端末２０の画像データ受信装置２２で受信される。ホスト端末２０の演算装置２６は、画像データ受信装置２２で受信した画像データのうち、脈拍表示範囲Ｅ内に位置する画素（ｘ１，ｙ１）〜（ｘ３，ｙ３）の明度指定値０ｘ，ｎｎに基づいて、クライアント端末６０の演算装置８４による判定結果を再生する。したがって、画像データの表示を目視で確認することなく患者の脈拍が正常範囲にあるか異常範囲にあるかを検知することができる。
【００５６】
また、生体情報監視装置１０では、各クライアント端末６０の画像データ送信装置９４が、画像データとともにクライアント端末６０を識別するＩＰアドレスを送信する。ホスト端末２０の演算装置２６は、再生した判定結果が異常であるときに、その画像データと同時に受信したＩＰアドレスを含む警告信号を出力する。したがって、複数の患者の脈拍を監視し、いずれかの患者の容態が悪化したときに、その患者が誰であるかを容易に特定することができる。
【００５７】
また、生体情報監視装置１０では、ホスト端末２０の演算装置２６が、出力した警告信号が含むＩＰアドレスを記憶し、そのＩＰアドレスに対応するクライアント端末６０が送信した画像データを表示装置４０に表示する。したがって、容態が悪化した患者の２次生体情報を容易に確認することができる。
【００５８】
また、生体情報監視装置１０では、ホスト端末２０の演算装置２６が、警告信号を出力したときにブザー３８を鳴動させる。このブザー３８の鳴動によって、クライアント端末６０で検出する脈拍が異常となったことを知ることができる。
【００５９】
なお、上述した生体情報監視装置１０では、クライアント端末６０が、患者の心電図、脈拍を検出し、脈拍が正常範囲にあるか異常範囲にあるかを判定した。しかし、心電図が正常範囲にあるか異常範囲にあるかを判定しても良い。また、クライアント端末６０で、患者の体温、呼吸、血圧、血糖値、体脂肪率、意識レベル等の生体情報を検出し、それらの生体情報が正常範囲にあるか異常範囲にあるかを判定しても良い。
また、上述した生体情報監視装置１０では、ホスト端末２０の演算装置２６が、画像データの画素の色指定値から算出した明度指定値に基づいて、クライアント端末６０の演算装置８４による判定結果を再生した。しかし、本発明はこのような形態に限られず、画像データの画素の光学的特性を記述するさまざまなデータに基づいて、クライアント端末６０の演算装置８４による判定結果を再生することができる。例えば、画像データの画素の色指定値、彩度指定値等に基づいて判定結果を再生しても良い。
また、上述の生体情報監視装置１０では、脈拍表示範囲Ｅ内の色を反転させることで脈拍の判定結果を表示したが、他の表示方法によって判定結果を表示しても良い。例えば、判定結果が異常であったときに、脈拍数値の表示色を赤とするようにしても良い。また、画像データ中に判定結果の表示範囲を別個に設け、その表示範囲内にＯＫ、ＮＧ等を表示しても良い。
【００６０】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００６１】
【図１】実施例の生体情報監視装置１０のブロック図。
【図２】実施例のクライアント端末６０のブロック図。
【図３】実施例のホスト端末２０のブロック図。
【図４】クライアント端末６０の動作を示すフローチャート。
【図５】画像データの説明図。
【図６】脈拍が正常範囲にあるときに作成される画像データを示す図。
【図７】脈拍が異常範囲にあるときに作成される画像データを示す図。
【図８】画像データを受信した後のホスト端末２０の動作を示すフローチャート。
【図９】画像データの範囲Ｆ内の画素の説明図。
【符号の説明】
【００６２】
１０：生体情報監視装置
２０：ホスト端末
２２：画像データ受信装置
２４：記憶装置
２６：演算装置
２８：ＩＰアドレス判定部
２９：明度指定値算出部
３０：再生部
３２：警告信号出力部
３４：警告ＩＰアドレス記憶部
３６：ブザー鳴動部
３８：ブザー
４０：表示装置
４２：入力装置
６０：クライアント端末
６２：１次生体情報検出装置
６４：心電信号センサ
６６：心電信号センサ
７２：Ａ／Ｄ変換装置
７４：無線信号送信装置
７６：無線通信回線
７８：２次生体情報検出装置
８０：ベッドサイドモニタ
８２：無線信号受信装置
８４：演算装置
８６：解析部
８８：判定部
９０：画像データ作成部
９４：画像データ送信装置
９６：表示装置
１００：インターネット網
【図１】
0004719632.tif 000002
【図２】
0004719632.tif 000003
【図３】
0004719632.tif 000004
【図４】
0004719632.tif 000005
【図５】
0004719632.tif 000006
【図８】
0004719632.tif 000007
【図６】
0004719632.tif 000008
【図７】
0004719632.tif 000009
【図９】
0004719632.tif 000010